(57)【特許請求の範囲】
【請求項１】
ＴＴＳ（Ｔｅｘｔ  ｔｏ  Ｓｐｅｅｃｈ）を利用した宅配注文中継システムであって、注文者端末から送信された処理対象の宅配注文を受信する注文受信モジュール；ＴＴＳを介して前記処理対象の宅配注文に相当する音声宅配注文を生成するＴＴＳモジュール；前記処理対象の宅配注文に相当する業者に電話の呼び出し又は電話を接続し、接続された電話の呼び出し又は電話を介して前記音声宅配注文を出力する音声出力モジュール；前記電話の呼び出し又は電話を介し、前記業者から前記処理対象の宅配注文の注文応答を受信する応答受信モジュール；前記注文応答に相当する注文処理結果情報を前記処理対象の宅配注文を送信した注文者端末に転送する宅配注文応答モジュール；前記処理対象の宅配注文の処理を先入先出方式のタスクキュー（ｔａｓｋ  ｑｕｅｕｅ）に追加する追加モジュール；前記タスクキューから順番に作業を抽出する抽出モジュール；前記抽出モジュールにより前記タスクキューから前記処理対象の宅配注文の処理作業が抽出された場合、前記音声出力モジュールが前記処理対象の宅配注文に相当する業者に電話の呼び出し又は電話を接続し、接続された電話の呼び出し又は電話を介して前記音声宅配注文を出力するように制御する制御モジュール；前記注文者端末から前記処理対象の宅配注文のキャンセル要求を受信するキャンセル要求受信モジュール；及び前記処理対象の宅配注文のキャンセル要求に応答して、前記処理対象の宅配注文のキャンセル処理を実行するキャンセルモジュールを含み、前記キャンセルモジュールは、前記処理対象の宅配注文に相当する業者に電話の呼び出し又は電話が接続される前である場合には、前記タスクキューから前記処理対象の宅配注文を削除し、前記処理対象の宅配注文に相当する業者に接続されてある電話の呼び出し又は電話を介して前記音声宅配注文が出力されている場合には、前記処理対象の宅配注文のキャンセルメッセージ送信作業を前記タスクキューに最優先順位として追加し、前記制御モジュールは、前記抽出モジュールにより前記タスクキューで前記処理対象の宅配注文のキャンセルメッセージ送信作業が抽出された場合、前記処理対象の宅配注文のキャンセル要求に相当する前記処理対象の宅配注文のキャンセル指示メッセージを前記業者の端末に転送する宅配注文中継システム。
【請求項２】
前記宅配注文中継システムは、前記処理対象の宅配注文に相当するテキストメッセージを前記業者の端末に送信するテキストメッセージ送信モジュールをさらに含む請求項１に記載のＴＴＳを利用した宅配注文中継システム。
【請求項３】
前記キャンセルモジュールは、所定のキャンセル可能期間が経過していない場合に前記処理対象の宅配注文のキャンセル処理を行い、前記キャンセル可能期間は、前記業者から前記処理対象の宅配注文に対する注文応答を受信するまでの期間である請求項１に記載のＴＴＳを利用した宅配注文中継システム。
【請求項４】
前記音声出力モジュールは、前記業者に電話の呼び出し又は電話が接続されていない場合、一定の待機期間が経過した後、前記業者に再度電話の呼び出し又は電話の接続をしようとする請求項１に記載のＴＴＳを利用した宅配注文中継システム。
【請求項５】
前記キャンセルモジュールは、前記業者に対する最初の電話の呼び出し又は電話の接続を試みた後に所定の限界期間内に前記業者に電話の呼び出し又は電話が接続されていない場合、前記処理対象の宅配注文をキャンセルする請求項４に記載のＴＴＳを利用した宅配注文中継システム。
【請求項６】
宅配注文中継システムは、前記処理対象の宅配注文に相当する業者に接続されてある電話の呼び出し又は電話を介して前記音声宅配注文が出力される途中で、前記電話の呼び出し又は電話が切断された場合、前記業者の端末に返信番号を送信する返信番号送信モジュールをさらに含み、前記音声出力モジュールは、前記業者が前記返信番号を介して前記宅配注文中継システムに電話の呼び出し又は電話を接続した場合は、接続された電話の呼び出し又は電話を介して前記音声宅配注文を再度出力する請求項１に記載のＴＴＳを利用した宅配注文中継システム。
【請求項７】
前記応答受信モジュールが前記処理対象の宅配注文の受付応答を受信した場合、前記音声出力モジュールは、前記電話の呼び出し又は電話を介して推定配達時間を問い合わせる音声を出力し、前記応答受信モジュールは、前記電話の呼び出し又は電話を介して、前記業者から推定配達時間情報を受信し、前記宅配注文応答モジュールは、前記推定配達時間の情報を含む注文処理結果情報を前記注文者端末に送信し、前記応答受信モジュールが前記処理対象の宅配注文に対する拒否応答を受信した場合、前記音声出力モジュールは、前記電話の呼び出し又は電話を介して受付拒否の理由を問い合わせる音声を出力し、前記応答受信モジュールは、前記電話の呼び出し又は電話を介して、前記業者から受付拒否の理由情報について受信し、前記宅配注文応答モジュールは、前記受付拒否の理由情報を含む注文処理結果情報を前記注文者端末に転送する請求項１に記載のＴＴＳを利用した宅配注文中継システム。
【請求項８】
ＴＴＳを利用した宅配注文中継方法であって、宅配注文中継システムが、注文者端末から送信された処理対象の宅配注文を受信する注文受信ステップ；前記宅配注文中継システムが、ＴＴＳを介して前記処理対象の宅配注文に相当する音声宅配注文を生成するＴＴＳステップ；前記宅配注文中継システムが、前記処理対象の宅配注文に相当する業者に電話の呼び出し又は電話を接続し、接続された電話の呼び出し又は電話を介して前記音声宅配注文を出力する音声出力ステップ；前記宅配注文中継システムが、前記電話の呼び出し又は電話を介して前記業者から前記処理対象の宅配注文の注文応答を受信する応答受信ステップ；前記宅配注文中継システムが、前記注文応答に相当する注文処理結果情報を前記処理対象の宅配注文を送信した注文者端末に転送する宅配注文応答ステップ；前記宅配注文中継システムが、前記処理対象の宅配注文の処理を先入先出方式のタスクキューに追加する追加ステップ；及び前記宅配注文中継システムが、前記タスクキューから順番に作業を抽出するステップを含むが、前記音声出力ステップは前記タスクキューから前記処理対象の宅配注文の処理作業が抽出された場合に実行され、前記宅配注文中継方法は、前記宅配注文中継システムが、前記注文者端末から前記処理対象の宅配注文のキャンセル要求を受信するキャンセル要求受信ステップ；及び前記宅配注文中継システムが、前記処理対象の宅配注文のキャンセル要求に応答して、前記処理対象の宅配注文のキャンセル処理を実行するキャンセルステップをさらに含むが、前記処理対象の宅配注文のキャンセル処理は、前記処理対象の宅配注文に相当する業者に電話の呼び出し又は電話が接続される前である場合には、前記タスクキューから前記処理対象の宅配注文を削除するステップ；及び前記処理対象の宅配注文に相当する業者に接続されてある電話の呼び出し又は電話を介して前記音声宅配注文が出力されている場合には、前記処理対象の宅配注文のキャンセルメッセージ送信作業を前記タスクキューに最優先順位として追加するステップを含み、前記宅配注文中継方法は、前記タスクキューから前記処理対象の宅配注文のキャンセルメッセージ送信作業が抽出された場合、前記処理対象の宅配注文のキャンセル要求に相当する前記処理対象の宅配注文のキャンセル指示メッセージを前記業者の端末に転送するステップをさらに含む宅配注文中継方法。
【請求項９】
前記宅配注文中継方法は、前記宅配注文中継システムが、前記処理対象の宅配注文に相当するテキストメッセージを前記業者の端末に送信するテキストメッセージ送信ステップをさらに含む請求項８に記載のＴＴＳを利用した宅配注文中継方法。
【請求項１０】
前記キャンセルステップは、前記宅配注文中継システムが、所定のキャンセル可能期間が経過していない場合に前記処理対象の宅配注文のキャンセル要求に応答して、前記処理対象の宅配注文のキャンセル処理を実行するステップを含み、前記キャンセル可能期間は、前記業者から前記処理対象の宅配注文に対する注文応答を受信するまでの期間である請求項８に記載のＴＴＳを利用した宅配注文中継方法。
【請求項１１】
前記音声出力ステップは、前記業者に電話の呼び出し又は電話が接続されていない場合、一定の待機期間が経過した後、前記業者に再度電話の呼び出し又は電話の接続をしようとするステップを含む請求項８に記載のＴＴＳを利用した宅配注文中継方法。
【請求項１２】
宅配注文中継方法は、前記業者に対する最初の電話の呼び出し又は電話の接続を試みた後に所定の限界期間内に前記業者に電話の呼び出し又は電話が接続されていない場合、前記処理対象の宅配注文をキャンセルするステップをさらに含む請求項１１に記載のＴＴＳを利用した宅配注文中継方法。
【請求項１３】
宅配注文中継方法は、前記処理対象の宅配注文に相当する業者に接続されてある電話の呼び出し又は電話を介して前記音声宅配注文が出力される途中で、前記電話の呼び出し又は電話が切断された場合、前記業者の端末に返信番号を送信するステップ；及び前記業者が前記返信番号を介して前記宅配注文中継システムに電話の呼び出し又は電話を接続した場合、接続された電話の呼び出し又は電話を介して前記音声宅配注文を再度出力するステップをさらに含む請求項８に記載のＴＴＳを利用した宅配注文中継方法。
【請求項１４】
前記宅配注文中継方法は、前記処理対象の宅配注文に対する受付応答が受信された場合、前記宅配注文中継システムが、前記電話の呼び出し又は電話を介して推定配達時間を問い合わせる音声を出力し、前記電話の呼び出し又は電話を介して、前記業者から推定配達時間情報を受信するステップ；及び前記処理対象の宅配注文に対する拒否応答が受信された場合、前記宅配注文中継システムが、前記電話の呼び出し又は電話を介して受付拒否の理由を問い合わせる音声を出力し、前記電話の呼び出し又は電話を介して、前記業者から受付拒否の理由情報を受信するステップをさらに含み、前記処理対象の宅配注文に対する受付応答が受信された場合には、前記注文処理結果情報は、前記推定配達時間情報を含み、前記処理対象の宅配注文に対する拒否応答が受信された場合には、前記注文処理結果情報は、前記受付拒否の理由情報を含む請求項８に記載のＴＴＳを利用した宅配注文中継方法。
【請求項１５】
データ処理デバイスにインストールされ、請求項８ないし請求項１４のいずれか１項に記載の方法を実行する記録媒体に格納されたコンピュータプログラム。
【請求項１６】
宅配注文中継システムであって、プロセッサ；及び前記プロセッサによって実行されるコンピュータプログラムを格納するメモリを含み、前記コンピュータプログラムは、前記プロセッサによって実行される場合、前記宅配注文中継システムが請求項８から請求項１４のいずれか１項に記載の方法を実行するようにした宅配注文中継システム。
【発明の詳細な説明】
【技術分野】
【０００１】
本発明は、ＴＴＳ（Ｔｅｘｔ  ｔｏ  Ｓｐｅｅｃｈ）を利用した宅配注文中継システム及びその方法に関するものであり、より詳細には、相手先の端末から要求された宅配注文をＴＴＳを利用して音声で配達業者に中継するシステム及び方法に関する。
【背景技術】
【０００２】
通常宅配注文のような宅配商品を注文するためには、該当する業者であるプロバイダから提供されるチラシやホームページを介して注文可能な商品のリストを確認した後、これらのいずれかを選択して、プロバイダに電話の呼び出し又は電話をして注文する過程を経ることになる。
【０００３】
ところが、多くの配達業者に対していちいち前記過程を経て希望の商品を選択することは、多くの時間と労力がかかるため、最近は多くの配達業者と加盟関係を結んで、彼らが提供する多数のメニューを業者別に一目瞭然に整理して提供するインターネットサービスが浮上している。さらに、これらのインターネットサービスの中では、ユーザーにメニューを選択するようにして、選択したメニューの注文を要求できるようにするアプリケーションを提供する宅配注文中継サービスを一緒に提供するところもある。従来の宅配注文中継サービスを提供する業者は、通常、注文者から宅配注文が配信されると、その宅配注文に相当する配達業者に直接電話の呼び出し又は電話をかけて注文が要求された商品を配送するように指示する方法で中継サービスを提供している。
【０００４】
しかし、このような従来の宅配注文中継方式では、配達業者に直接電話の呼び出し又は電話をかける役割を実行する多数の従業員が必要なため、人材の消耗が激しいという問題がある。
【０００５】
また、注文者が入力した配送発注情報を肉声で伝える必要があるため伝達過程でエラーが発生し、宅配注文の伝達が迅速に行われることがないという問題点も存在するのが実情である。
【先行技術文献】
【特許文献】
【０００６】
【特許文献１】韓国公開特許公報１０−２００７−００４９９５１
【特許文献２】韓国公開特許公報１０−２００８−０１００１５４
【特許文献３】韓国公開特許公報１０−２００６−００４０７８２
【発明の概要】
【発明が解決しようとする課題】
【０００７】
本発明は、上述した従来の諸問題を解決するためのものであり、本発明が達成しようとする課題は、ＴＴＳを介して、宅配注文を配達業者に中継することができるシステム及び方法を提供するものである。
【課題を解決するための手段】
【０００８】
本発明の一側面によると、ＴＴＳ（Ｔｅｘｔ  ｔｏ  Ｓｐｅｅｃｈ）を利用した宅配注文中継システムであって、注文者端末から送信された処理対象である宅配注文を受信する注文受信モジュール、ＴＴＳを介して前記処理対象の宅配注文に相当する音声宅配注文を生成するＴＴＳモジュール、前記処理対象の宅配注文に相当する業者に電話の呼び出し又は電話（Ｐｈｏｎｅ  Ｃａｌｌ）を接続し、接続された電話の呼び出し又は電話を介して前記音声宅配注文を出力する音声出力モジュール、前記電話の呼び出し又は電話を介して、前記業者から前記処理対象の宅配注文の注文応答を受信する応答受信モジュール、及び前記注文応答に相当する注文処理結果情報を前記処理対象の宅配注文を送信した注文者端末に転送する宅配注文応答モジュールを含む宅配注文中継システムが提供される。
【０００９】
本発明に係る一実施例では、前記宅配注文中継システムは、前記処理対象の宅配注文に相当するテキストメッセージを前記業者の端末に送信するテキストメッセージ送信モジュールをさらに含むことができる。
【００１０】
本発明に係る一実施例では、前記宅配注文中継システムは、前記処理対象の宅配注文の処理を先入先出方式のタスクキュー（ｔａｓｋ  ｑｕｅｕｅ）に追加する追加モジュール、前記タスクキューで順番に作業を抽出する抽出モジュール、前記抽出モジュールにより前記タスクキューから前記処理対象の宅配注文の処理作業が抽出された場合、前記音声出力モジュールが前記処理対象の宅配注文に相当する業者に電話の呼び出し又は電話を接続し、接続された電話の呼び出し又は電話を介して前記音声宅配注文を出力するように制御する制御モジュールをさらに含むことができる。
【００１１】
本発明に係る一実施例では、前記宅配注文中継システムは、前記注文者端末から前記処理対象の宅配注文のキャンセル要求を受信するキャンセル要求受信モジュールと、前記処理対象の宅配注文のキャンセル要求に応答して、前記処理対象の宅配注文のキャンセルタスクを実行するキャンセルモジュールをさらに含むが、前記キャンセルモジュールは、前記処理対象の宅配注文に相当する業者に電話の呼び出し又は電話が接続される前である場合には、前記タスクキューから前記処理対象の宅配注文を削除し、前記処理対象の宅配注文に相当する業者に接続された電話の呼び出し又は電話を介して前記音声宅配注文が出力されている場合には、前記処理対象の宅配注文のキャンセルメッセージ送信作業を前記タスクキューに最優先順位として追加し、前記制御モジュールは、前記抽出モジュールによって、前記タスクキューから前記処理対象の宅配注文のキャンセルメッセージ送信作業が追加された場合には、前記処理対象の宅配注文のキャンセル要求に相当する前記処理対象の宅配注文のキャンセル指示メッセージを前記業者の端末に転送することができる。
【００１２】
本発明に係る一実施例では、前記キャンセルモジュールは、所定のキャンセル可能期間が経過していない場合に前記処理対象の宅配注文のキャンセル処理を行い、前記キャンセル可能期間は、前記業者から前記処理対象の宅配注文の注文応答を受信するまでの期間であることがある。
【００１３】
本発明に係る一実施例では、前記音声出力モジュールは、前記業者に電話の呼び出し又は電話が接続されていない場合には、一定の待機期間が経過した後、前記業者に再度電話の呼び出し又は電話の接続を試みることができる。
【００１４】
本発明に係る一実施例では、宅配注文中継システムは、前記業者の最初の電話の呼び出し又は電話の接続を試みた後に所定の限界期間内に前記業者に電話の呼び出し又は電話が接続されていない場合には、前記処理対象の宅配注文をキャンセルするキャンセルモジュールをさらに含むことができる。
【００１５】
本発明に係る一実施例では、宅配注文中継システムは、前記処理対象の宅配注文に相当する業者に接続されてある電話の呼び出し又は電話を介して前記音声宅配注文が出力される途中で、前記電話の呼び出し又は電話が切断された場合には、前記業者の端末に返信番号を送信する返信番号送信モジュールをさらに含み、前記音声出力モジュールは、前記業者が前記返信番号を介して前記宅配注文中継システムに電話の呼び出し又は電話を接続した場合、接続された電話の呼び出し又は電話を介して前記音声宅配注文を再出力することができる。
【００１６】
本発明に係る一実施例では、前記応答受信モジュールが前記処理対象の宅配注文の受付応答を受信した場合、前記音声出力モジュールは、前記電話の呼び出し又は電話を介して推定配達時間を問い合わせる音声を出力し、前記応答受信モジュールは、前記電話の呼び出し又は電話を介して、前記業者から推定配達時間情報を受信し、前記宅配注文応答モジュールは、前記推定配達時間の情報を含む注文処理結果情報を前記注文者端末に送信し、前記応答受信モジュールが前記処理対象の宅配注文の拒否応答を受信した場合、前記音声出力モジュールは、前記電話の呼び出し又は電話を介して受付拒否の理由を問い合わせる音声を出力し、前記応答受信モジュールは、前記電話の呼び出し又は電話を介して、前記業者から受付拒否の理由情報を受信し、前記宅配注文応答モジュールは、前記受付拒否の理由情報を含む注文処理結果情報を前記注文者端末に転送することができる。
【００１７】
本発明の他の一側面によると、ＴＴＳを利用した宅配注文中継方法であって、宅配注文中継システムが、注文者端末から送信された処理対象の宅配注文を受信する注文受信ステップ、前記宅配注文中継システムがＴＴＳを介して前記処理対象の宅配注文に相当する音声宅配注文を生成するＴＴＳステップ、前記宅配注文中継システムが、前記処理対象の宅配注文に相当する業者に電話の呼び出し又は電話を接続し、接続された電話の呼び出し又は電話を介して前記音声宅配注文を出力する音声出力ステップ、前記宅配注文中継システムが、前記電話の呼び出し又は電話を介して、前記業者から前記処理対象の宅配注文の注文応答を受信する応答受信ステップ、前記宅配注文中継システムが、前記注文応答に相当する注文処理結果情報を前記処理対象の宅配注文を送信した注文者端末に転送する宅配注文応答ステップとを含む宅配注文中継方法が提供される。
【００１８】
本発明に係る一実施例では、前記宅配注文中継方法は、前記宅配注文中継システムが、前記処理対象の宅配注文に相当するテキストメッセージを前記業者の端末に送信するテキストメッセージ送信ステップをさらに含むことができる。
【００１９】
本発明に係る一実施例では、前記宅配注文中継方法は、前記宅配注文中継システムが、前記処理対象の宅配注文の処理を先入先出方式のタスクキューに追加する追加ステップ、前記宅配注文中継システムが、前記タスクキューで順番に作業を抽出するステップとを含むが、前記音声出力ステップは、前記タスクキューから前記処理対象の宅配注文の処理作業が抽出された場合に実行されることができる。
【００２０】
本発明に係る一実施例では、前記宅配注文中継方法は、前記宅配注文中継システムが、前記注文者端末から前記処理対象の宅配注文のキャンセル要求を受信するキャンセル要求受信ステップ、前記宅配注文中継システムが、前記処理対象の宅配注文のキャンセル要求に応答して、前記処理対象の宅配注文のキャンセル処理を実行するキャンセルステップをさらに含むが、前記処理対象の宅配注文のキャンセル処理は、前記処理対象の宅配注文に相当する業者に電話の呼び出し又は電話が接続される前である場合には、前記タスクキューから前記処理対象の宅配注文を削除するステップ、前記処理対象の宅配注文に相当する業者に接続されてある電話の呼び出し又は電話を介して前記音声宅配注文が出力されている場合には、前記処理対象の宅配注文のキャンセルメッセージ送信作業を前記タスクキューに最最優先順位に追加するステップとを含み、前記宅配注文中継方法は、前記タスクキューから前記処理対象の宅配注文のキャンセルメッセージ送信作業が抽出された場合には、前記処理対象の宅配注文のキャンセル要求に相当する前記処理対象の宅配注文のキャンセル指示メッセージを前記業者の端末に送信するステップをさらに含むことができる。
【００２１】
本発明に係る一実施例では、前記キャンセルステップは、前記宅配注文中継システムが、所定のキャンセル可能期間が経過していない場合に前記処理対象の宅配注文のキャンセル要求に応答して、前記処理対象の宅配注文のキャンセル処理を実行するステップを含み、前記キャンセル可能期間は、前記業者から前記処理対象の宅配注文の注文応答を受信するまでの期間であることがある。
【００２２】
本発明に係る一実施例では、前記音声出力のステップは、前記業者に電話の呼び出し又は電話が接続されていない場合、一定の待機期間が経過した後、前記業者に再度電話の呼び出し又は電話の接続をしようとするステップを含むことができる。
【００２３】
本発明に係る一実施例では、宅配注文中継方法は、前記業者の最初の電話の呼び出し又は電話の接続を試みた後に所定の限界期間内に前記業者に電話の呼び出し又は電話が接続されていない場合、前記処理対象の宅配注文をキャンセルするステップをさらに含むことがある。
【００２４】
本発明に係る一実施例では、宅配注文中継方法は、前記処理対象の宅配注文に相当する業者に接続されてある電話の呼び出し又は電話を介して前記音声宅配注文が出力されている途中で前記電話の呼び出し又は電話が切断された場合には、前記業者の端末に返信番号を送信するステップ、前記業者が前記返信番号を介して前記宅配注文中継システムに電話の呼び出し又は電話を接続した場合、接続された電話の呼び出し又は電話を介して前記音声宅配注文を再度出力するステップをさらに含むことができる。
【００２５】
本発明に係る一実施例では、前記宅配注文中継方法は、前記処理対象の宅配注文に対する受付応答が受信された場合、前記宅配注文中継システムが、前記電話の呼び出し又は電話を介して推定配達時間を問い合わせる音声を出力し、前記電話の呼び出し又は電話を介して、前記業者から推定配達時間情報を受信するステップ、前記処理対象の宅配注文に対する拒否応答が受信された場合には、前記宅配注文中継システムが、前記電話の呼び出し又は電話を介して受付拒否の理由を問い合わせる音声を出力し、前記電話の呼び出し又は電話を介して、前記業者から受付拒否の理由情報を受信するステップとをさらに含み、前記処理対象の宅配注文に対する受付応答が受信された場合には、前記注文処理結果情報は、前記推定配達時間情報を含み、前記処理対象の宅配注文に対する受付応答が受信された場合には、前記注文処理結果情報は、前記注文拒否理由情報を含むことができる。
【００２６】
本発明の他の一側面によると、データ処理デバイスにインストールされ、上述した方法を実行する記録媒体に格納されたコンピュータプログラムが提供される。
【００２７】
本発明の他の一側面によると、宅配注文中継システムであって、プロセッサと、前記プロセッサによって実行されるコンピュータプログラムを格納するメモリとを含み、前記コンピュータプログラムは、前記プロセッサによって実行される場合、前記宅配注文中継システムが、上述した方法を実行する宅配注文中継システムが提供される。
【発明の効果】
【００２８】
本発明の本発明に係る一実施例によると、ＴＴＳを介して、配達業者に配信する宅配注文音声を自動生成し、これを配達業者に配信するため、受付された宅配注文の配信及び応答のために多数の人材が必要とされる従来の問題点を解決することができる効果がある。
【００２９】
また、本発明の本発明に係る一実施例によると、多数の注文者から要求された宅配注文をキューを介して効果的に管理することができ、要求された宅配注文のキャンセル要求を効果的に処理することができる技術的思想を提供することができる。
【００３０】
また、配達業者に宅配注文を配信する途中、前記配達業者との電話の呼び出し又は電話接続が切断される場合でも、宅配注文の伝達過程を再開することができる技術的思想を提供することができ、配達業者の都合などにより、前記配達業者と電話の呼び出し又は電話接続がされていない場合でも、効果的にハンドリングすることができる技術的思想を提供することもできる。
【図面の簡単な説明】
【００３１】
本発明の詳細な説明で引用される図面をより十分に理解するために、各図面の簡単な説明が提供される。
【図１】本発明の一実施形態に係る宅配注文中継システムの構成環境を概略的に説明するための図である。
【図２】本発明の一実施形態に係る宅配注文中継システムの概略的な構成を示すブロック図である。
【図３】本発明の一実施形態に係る宅配注文中継システムが送信するテキストメッセージの一例を示した図である。
【図４】本発明の一実施形態に係る宅配注文中継システムが動作する過程を示すフローチャートである。
【図５】音声宅配注文を出力する途中で、前記電話の呼び出し又は電話が途切れる場合、本発明の一実施形態に係る宅配注文中継システムが動作する方法を示すフローチャートである。
【図６】業者側が電話の呼び出し又は電話を受けない場合、本発明の一実施形態に係る宅配注文中継システムが動作する方法を示すフローチャートである。
【発明を実施するための形態】
【００３２】
本発明は、様々な変換を加えることができ、いくつかの実施例を有することができ、特定の実施例を図面に例示して詳細に説明する。しかし、これは本発明を特定の実施形態について限定するものではなく、本発明の思想及び技術範囲に含まれるすべての変換、均等物及び代替物を含むものと理解されるべきである。本発明を説明するにあたって、関連する公知技術に対する具体的な説明が本発明の要旨を曖昧にすることがあると判断される場合、その詳細な説明を省略する。
【００３３】
第１、第２などの用語は、様々な構成要素を説明するために使用されることがあるが、前記構成要素は、前記用語によって限定されてはならない。前記用語は、一つの構成要素を他の構成要素から区別するためにのみ使用される。
【００３４】
本出願で使用した用語は、単に特定の実施例を説明するために使用されたもので、本発明を限定する意図ではない。単数の表現は、文脈上明らかに別の意味でない限り、複数の表現を含んでいる。
【００３５】
本明細書において、「含む」または「有する」などの用語は、明細書上に記載された特徴、数字、ステップ、動作、構成要素、部品またはこれらを組み合わせたものが存在することを指定しようとするのであって、一つまたはそれ以上の他の特徴や数字、ステップ、動作、構成要素、部品またはこれらを組み合わせたものの存在または付加可能性を予め排除しないものと理解されるべきである。
【００３６】
また、本明細書において、いずれかの構成要素が他の構成要素にデータを「送信」する場合には、前記構成要素は、前記他の構成要素に直接前記データを転送することができ、少なくとも一つの別の構成要素を介して前記データを前記他の構成要素に転送することもできることを意味する。逆にいずれか一つの構成要素が他の構成要素にデータを「直接送信」する場合には、前記構成要素から別の構成要素を通さず、前記他の構成要素として、前記データが送信されることを意味する。
【００３７】
以下、添付された図面を参照して、本発明の実施例を中心に、本発明を詳細に説明する。各図面に提示された同一の参照符号は同じ部材を示す。
【００３８】
図１は、本発明の一実施形態に係る宅配注文中継システムの構成環境を概略的に説明するための図である。
【００３９】
図１に示されたように、前記宅配注文中継システム１００は、注文者端末２００〜２００−Ｎが要求している宅配注文を配達業者３００〜３００−Ｍに中継することができる。
【００４０】
前記宅配注文中継システム１００は、注文者端末２００〜２００−Ｎと有・無線ネットワークを介して相互に接続することができ、本発明の技術的思想を実装するのに必要な各種データ、及び／または情報を送受信することができる。例えば、前記宅配注文中継システム１００は、前記注文者端末（例えば、２００）から宅配注文を受信することができ、前記宅配注文の処理結果を前記注文者端末（例えば、２００）に送信することができる。
【００４１】
前記注文者端末２００〜２００−Ｎは、デスクトップ、ラップトップを含むデータ処理デバイスであることがあり、好ましくは、携帯電話の呼び出し又は電話、スマートフォン、タブレットＰＣ、ＰＤＡ（Ｐｅｒｓｏｎａｌ  Ｄｉｇｉｔａｌ  Ａｓｓｉｓｔａｎｔ）を含むモバイル機器、またはその他の無線接続機能を有するハンドヘルドデバイスを含む無線コンピューティングデバイスまたは他の無線モデムに接続された処理デバイスであることもできる。
【００４２】
前記宅配注文中継システム１００が注文者端末（例えば、２００）から受信した宅配注文を中継する各配達業者３００〜３００−Ｍは、前記宅配注文中継システム１００と電話の呼び出し又は電話通話を実行するための電話の呼び出し又は電話機３１０〜３１０−Ｍを店に備えることができ、前記宅配注文中継システム１００からのテキストメッセージを受信したり、前記宅配注文中継システム１００とデータ通信を行うための別の端末３２０〜３２０−Ｍを含むことができる。前記端末３２０〜３２０−Ｍは、デスクトップ、ラップトップを含むデータ処理デバイスであることがあり、好ましくは、携帯電話の呼び出し又は電話、スマートフォン、タブレットＰＣ、ＰＤＡを含むモバイル機器、またはその他の無線接続機能を有するハンドハンドヘルドデバイスを含む無線コンピューティングデバイスまたは他の無線モデムに接続された処理デバイスであることもできる。
【００４３】
一方、上述したように、前記宅配注文中継システム１００は、宅配注文を中継することができる。このため、前記宅配注文中継システム１００は、前記宅配注文中継システム１００に加入した多数の加盟店３００〜３００−Ｍの情報と、それぞれの加盟店３００〜３００−Ｍが提供する配達商品についての情報を所定のＤＢ（未図示）に格納／管理することができる。前記宅配注文中継システム１００は、前記宅配注文中継システム１００に接続した注文者端末（例えば、２００）に複数の加盟店に関する情報と、それぞれの加盟店が提供する複数の配達商品に関する情報を提供することにより、前記注文者端末２００に相当する注文者がこのいずれかを選択して、配達商品の宅配注文を要求するようにすることができる。一方、注文者が前記宅配注文中継システム１００に宅配注文を送信する場合には、前記宅配注文中継システム１００は、前記宅配注文に相当する業者（例えば、３００）の電話（例えば、３１０）に電話の呼び出し又は電話を接続し、前記宅配注文を配信することができ、これとは別に前記業者（例えば、３００）の端末（例えば、３２０）に宅配注文に係る内容を含むテキストメッセージを送信することもできる。
【００４４】
図２は、本発明の一実施形態に係る宅配注文中継システムの概略的な構成を示すブロック図である。
【００４５】
図２を参照すると、前記宅配注文中継システム１００は、注文受信モジュール１１０、ＴＴＳモジュール１２０、音声出力モジュール１３０、テキストメッセージ送信モジュール１３５、応答受信モジュール１４０、宅配注文応答モジュール１５０、追加モジュール１６０、抽出モジュール１６５、キャンセル要求受信モジュール１７０、キャンセルモジュール１８０、返信番号送信モジュール１９０、制御モジュール１９５とを含むことができる。本発明の実施例によっては、図２の構成要素の内のいくつかの構成要素は、必ずしも本発明の実施に不可欠で必要な構成要素に相当していない場合があり、また、実施例に基づき、前記宅配注文中継システム１００は、これよりも多くの構成要素を含むこともあるのは無論である。
【００４６】
前記宅配注文中継システム１００は、本発明の技術的思想を具現するために必要なハードウェアリソース（ｒｅｓｏｕｒｃｅ）及び／またはソフトウェアを備えることができ、必ずしも一つの物理的な構成要素を意味したり、一つのデバイスを意味するわけではない。すなわち、前記宅配注文中継システム１００は、本発明の技術的思想を具現するために具備されるハードウェア及び／またはソフトウェアの論理的な結合を意味することができ、必要な場合には、互いに離隔したデバイスにインストールされ、それぞれの機能を実行することにより、本発明の技術的思想を実装するための論理的な構成の集合として実装されることもできる。また、前記宅配注文中継システム１００は、本発明の技術的思想を具現するための、それぞれの機能や役割ごとに個別に実装されている構成の集合を意味することもできる。例えば、前記注文受信モジュール１１０、ＴＴＳモジュール１２０、音声出力モジュール１３０、テキストメッセージ送信モジュール１３５、応答受信モジュール１４０、宅配注文応答モジュール１５０、追加モジュール１６０、抽出モジュール１６５、キャンセル要求受信モジュール１７０、キャンセルモジュール１８０、返信番号送信モジュール１９０及び／または制御モジュール１９５は、異なる物理デバイスに位置することもあり、同じ物理デバイスに位置することもできる。また、実装例に応じては、前記注文受信モジュール１１０、ＴＴＳモジュール１２０、音声出力モジュール１３０、テキストメッセージ送信モジュール１３５、応答受信モジュール１４０、宅配注文応答モジュール１５０、追加モジュール１６０、抽出モジュール１６５、キャンセル要求受信モジュール１７０、キャンセルモジュール１８０、返信番号送信モジュール１９０及び／または制御モジュール１９５など、それぞれのモジュールを構成する詳細構成にも、異なる物理デバイスに位置し、異なる物理デバイスの詳細構成が互いに有機的に結合され、それぞれのモジュールが実行する機能を実現することもできる。
【００４７】
また、本明細書ではモジュールとは、本発明の技術的思想を実行するためのハードウェア及び前記ハードウェアを駆動するためのソフトウェアの機能的、構造的な結合を意味することがある。例えば、前記モジュールは、所定のコードと前記所定のコードが実行されるための、ハードウェアリソースの論理的な単位を意味することができ、必ずしも物理的に接続されたコードを意味したり、一種類のハードウェアを意味するわけではないことが通常の技術者には容易に推論することができる。
【００４８】
以下では、説明の便宜のために、前記宅配注文中継システム１００が注文者端末２００と業者端末３００を中継する例について説明するが、前記宅配注文中継システム１００は、他の相手先の端末（つまり、２００−１〜２００−Ｎ）と、他の加盟店の端末（つまり、３００−１〜３００−Ｍ）を中継することができるということは、本発明が属する分野における通常の知識を有する者であれば容易に理解することができあるだろう。
【００４９】
前記制御モジュール１９５は、前記宅配注文中継システム１００に含まれる他の構成（例えば、注文受信モジュール１１０、ＴＴＳモジュール１２０、音声出力モジュール１３０、テキストメッセージ送信モジュール１３５、応答受信モジュール１４０、宅配注文応答モジュール１５０、追加モジュール１６０、抽出モジュール１６５、キャンセル要求受信モジュール１７０、キャンセルモジュール１８０及び／または返信番号送信モジュール１９０など）の機能及び／またはリソースを制御することができる。
【００５０】
前記注文受信モジュール１１０は、注文者端末２００から送信された処理対象の宅配注文を受信することができる。実施例に基づき、前記注文受信モジュール１１０は、前記注文者端末２００から宅配注文を受信する前に、前記注文者端末２００において、前記宅配注文中継システム１００の加盟店（例えば、３００）を選択するか、選択された加盟店で提供される配達商品の宅配注文を要求できるように、前記注文者端末２００に、前記宅配注文中継システム１００に加入した加盟店３００〜３００−Ｍに関する情報、及び／またはそれぞれの加盟店３００〜３００−Ｍで提供される配達商品についての情報を提供することができる。
【００５１】
前記注文者端末２００から加盟店３００及び前記加盟店から提供される配達商品を選択して、前記加盟店に、前記配達商品を届けてほしいという処理対象の宅配注文を送信する場合は、前記注文受信モジュール１１０は、前記処理対象の宅配注文を受信することができる。前記注文者端末２００が送信する処理対象の宅配注文は注文者が選択した配達業者や配達商品についての情報を含むことができる。また、前記処理対象の宅配注文は注文者が希望する別のリクエストに関する情報、決済手段に関する情報、及び／または商品が配達される配達先の情報をさらに含むこともできる。
【００５２】
一方、前記ＴＴＳモジュール１２０は、ＴＴＳを介して前記処理対象の宅配注文に相当する音声宅配注文を生成することができる。前記ＴＴＳモジュール１２０は、音声合成を介して前記音声宅配注文を生成することができる。音声合成は、声の音波を機械が自動的に作り出す技術として、人の声を録音して、一定の音声単位に分割して保存し、その後の指示に応じて必要な音声単位だけを再び合わせ声を人為に作り出す技術である。したがって、前記ＴＴＳモジュール１２０が生成される結果である音声宅配注文は人が聞くことができる音声データであることができる。
【００５３】
本発明に係る一実施例では、前記ＴＴＳモジュール１２０は、前記処理対象の宅配注文に含まれている個々の情報（例えば、配達業者、配達商品は、要求事項、決済手段、住所等）、前記処理対象の宅配注文を識別することができる固有の注文番号を含むテキストを作成し、音声合成を介して生成されたテキストに相当する音声宅配注文を生成することができる。
【００５４】
例えば、音声宅配注文は、「配達業者〜〜〜に要求された宅配注文です。注文番号は〜〜〜〜です。宅配物は〜〜〜〜です。配達先は〜〜〜〜です。ご注文受付は１番、注文拒否は０番を押してください」などのような内容を含むことができる。
【００５５】
一方、前記音声出力モジュール１３０は、前記処理対象の宅配注文に相当する業者３００の電話の呼び出し又は電話機３１０に電話の呼び出し又は電話を接続し、接続された電話の呼び出し又は電話を介して前記音声宅配注文を出力することにより、前記業者３００の従業員や管理者が電話の呼び出し又は電話機３１０を介して音声宅配注文を聞いて宅配注文の内容を把握することができる。
【００５６】
このように、本発明の技術的思想に基づく宅配注文中継システム１００は、ＴＴＳにより自動的に宅配注文に相当する音声データを生成し、電話の呼び出し又は電話を介してこれを業者に伝達することができる。したがって、本発明の技術的思想によれば、加盟店に電話の呼び出し又は電話をかけて宅配注文の内容を肉声に伝達する別途の従業員が必要なく、電話の呼び出し又は電話を介して宅配注文を中継することができる。
【００５７】
一方、前記テキストメッセージ送信モジュール１３５は、前記処理対象の宅配注文に相当するテキストメッセージを前記業者３００の端末３２０に送信することにより、電話の呼び出し又は電話を介して宅配注文を受信する前記業者３００で前記処理対象の宅配注文の内容を個別に記載する必要がないようにすることができる。一方、前記端末３２０は、テキストメッセージを受信することができる機能を備えることができる。
【００５８】
実施例に基づき、前記テキストメッセージ送信モジュール１３５は、ＳＭＳ（Ｓｈｏｒｔ  Ｍｅｓｓａｇｅ  Ｓｅｒｖｉｃｅ）、ＬＭＳ（Ｌｏｎｇ  Ｍｅｓｓａｇｅ  Ｓｅｒｖｉｃｅ）などのテキストメッセージ送信プラットフォームを介してテキストメッセージを送信することもでき、データ通信を介してテキストメッセージを送信することもできる。
【００５９】
前記処理対象の宅配注文に相当するテキストメッセージは、前記処理対象の宅配注文に含まれている各種情報と前記処理対象の宅配注文を識別することができる固有の注文番号を含むことができる。
【００６０】
図３は、前記テキストメッセージ送信モジュール１３５が送信するテキストメッセージの一例を示す図である。図３に示すように、前記処理対象の宅配注文に相当するテキストメッセージは、配達業者名、配達商品、要求事項、決済手段、配達先の住所、注文番号などを含むことができる。
【００６１】
電話の呼び出し又は電話を介して前記処理対象の宅配注文を受信した業者３００の従業員または管理者は、前記電話の呼び出し又は電話を介して前記処理対象の宅配注文の注文応答を入力することができ、前記応答受信モジュール１４０は、前記電話の呼び出し又は電話を介して前記業者から前記処理対象の宅配注文の注文応答を受信することができる。
【００６２】
前記処理対象の宅配注文の注文応答は注文受付または注文拒否のいずれかであることができる。注文受付は、宅配注文を前記宅配注文の内容に応じて処理するという応答であり、注文拒否は、所定の事由により宅配注文の内容を処理することができないという応答を意味することができる。
【００６３】
本発明に係る一実施例では、注文受付及び注文拒否それぞれに相当する番号が割り当てられていることができ、前記業者３００の従業員または管理者が電話の呼び出し又は電話機３１０から注文受付または注文拒否に相当する番号を押して注文応答を入力することができる。しかし、前記業者３００の従業員または管理者が前記処理対象の宅配注文の注文応答を入力する方法がこれに限定されるものではない。例えば、前記業者３００の従業員または管理者は、「受付」または「拒否」などの音声を介して前記電話の呼び出し又は電話を介して注文への応答を入力することができ、この場合には、前記応答受信モジュール１４０は、電話の呼び出し又は電話を介して受信された音声を音声認識して注文応答が注文の受付なのか拒否なのかを判断することができる。
【００６４】
一方、前記宅配注文応答モジュール１５０は、前記注文応答に相当する注文処理結果情報を前記処理対象の宅配注文を送信した注文者端末２００に送信することができる。
【００６５】
前記注文応答に相当する注文処理結果情報は、前記注文応答が注文の受付、あるいは拒否かどうかについての情報を含むことができる。
【００６６】
一方、本発明に係る一実施例では、前記応答受信モジュール１４０が、前記処理対象の宅配注文の受付応答を受信した場合には、前記音声出力モジュール１３０は、前記電話の呼び出し又は電話を介して推定配達時間を問い合わせる音声を出力することができる。推定配達時間を問い合わせる音声は、例えば、「推定配達時間をお選びください。２０分は２番、３０分は３番、４０分は４番、５０分は５番、６０分は６番、９０分は９番を押してください」のような内容であることができる。電話の呼び出し又は電話機３１０を介して推定配達時間を問い合わせる音声を聞いた前記業者３００の従業員または管理者は、前記電話の呼び出し又は電話を介して注文応答を入力した方式と同じ方式（例えば、電話の呼び出し又は電話のボタンを押すか、音声で入力する方式）で推定配達時間を入力することができ、前記応答受信モジュール１４０は前記電話の呼び出し又は電話を介して、前記業者から推定配達時間情報を受信することができる。一方、本実施例では、前記宅配注文応答モジュール１５０は、前記推定配達時間の情報を含む注文処理結果情報を前記注文者端末に送信することができる。
【００６７】
一方、本発明に係る一実施例では、前記応答受信モジュール１４０が、前記処理対象の宅配注文の拒否応答を受信した場合には、前記音声出力モジュール１３０は、前記電話の呼び出し又は電話を介して受付拒否の理由を問い合わせる音声を出力することができる。受付拒否の理由を問い合わせする音声は、例えば、「配達不可地域は１番、メニュー情報の変更は、２番、配達条件の変更は３番、配達遅延は４番、顧客情報の不正確は５番、店舗の事情は６番、その他は９番を押してください」のような内容であることができる。電話の呼び出し又は電話機３１０を介して受付拒否の理由を問い合わせる音声を聞いた前記業者３００の従業員または管理者は、前記電話の呼び出し又は電話を介して注文応答を入力した方式と同じ方式（例えば、電話の呼び出し又は電話のボタンを押すか音声で入力する方式）で受付拒否の理由を入力することができ、前記応答受信モジュール１４０は、前記電話の呼び出し又は電話を介して、前記業者から受付拒否の理由情報を受信することができる。一方、本実施例では、前記宅配注文応答モジュール１５０は、前記受付拒否の理由情報を含む注文処理結果情報を前記注文者端末に送信することができる。
【００６８】
図４は、注文者端末２００から宅配注文を要求し、前記宅配注文中継システム１００は、宅配注文を業者３００に伝達し、これに対する応答を受信した後、前記注文者端末２００に注文処理結果を報告するための一連の過程を示すフローチャートである。
【００６９】
図４を参照すると、注文者端末２００は、処理対象の宅配注文Ｄを前記宅配注文中継システム１００に転送することができる（Ｓ１１０）。
【００７０】
処理対象の宅配注文Ｄを受信した前記宅配注文中継システム１００は、ＴＴＳを介して処理対象の宅配注文Ｄに相当する音声宅配注文Ｓを生成することができる（Ｓ１２０）。
【００７１】
一方、前記宅配注文中継システム１００は、処理対象の宅配注文Ｄのご注文内容を含むテキストメッセージを、前記業者３００の端末３２０に送信することができ（Ｓ１３０）、前記業者３００の電話の呼び出し又は電話機３１０に電話の呼び出し又は電話を接続をすることができる（Ｓ１４０）。電話の呼び出し又は電話が接続されると、前記宅配注文中継システム１００は、生成された音声宅配注文Ｓを接続されている電話の呼び出し又は電話を介して出力することができる（Ｓ１５０）。
【００７２】
一方、前記業者３００の従業員または管理者は、業者の電話の呼び出し又は電話機３１０を介して宅配注文の受付かどうかを選択し、これを前記宅配注文中継システム１００に転送することができる（Ｓ１６０）。
【００７３】
もし前記宅配注文中継システム１００が、宅配注文の受付を受信した場合には、前記宅配注文中継システム１００は、推定配達時間を問い合わせる音声を、前記電話の呼び出し又は電話を介して出力することができ（Ｓ１７０−１）、前記業者３００の従業員または管理者は、業者の電話の呼び出し又は電話機３１０を介して推定配達時間を送信することができる（Ｓ１８０−１）。
【００７４】
もし前記宅配注文中継システム１００が、宅配注文の拒否を受信した場合には、前記宅配注文中継システム１００は、注文拒否の理由を問い合わせる音声を、前記電話の呼び出し又は電話を介して出力することができ（Ｓ１７０−２）、前記業者３００の従業員または管理者は、業者の電話の呼び出し又は電話機３１０を介して注文拒否の理由を送信することができる（Ｓ１８０−２）。
【００７５】
一方、前記宅配注文中継システム１００は、推定配達時間情報や注文拒否の理由が含まれている注文処理結果情報を前記注文者端末２００に送信することができる（Ｓ１９０）。
【００７６】
一方、一つの宅配注文を中継するためには、前記宅配注文に相当する音声がすべて出力されるべきなので、前記の宅配注文が処理されるためには、少なくとも前記宅配注文に相当する音声が出力されるためにかかる時間が必要である。ところで、多数の注文者端末（例えば、２００〜２００−Ｎのうちの少なくとも二つ以上）から同時にあるいは短い期間内に多数の宅配注文が要求されることがある。したがって、前記宅配注文中継システム１００は、複数の宅配注文を管理する必要がある。
【００７７】
このため、本発明に係る一実施例では、前記追加モジュール１６０は、注文者端末２００から送信された処理対象の宅配注文を先入先出方式のタスクキュー（ｔａｓｋ  ｑｕｅｕｅ）に追加することができ、前記抽出モジュール１６５は追加された順に宅配注文を前記タスクキューから抽出することができ、前記タスクキューから前記処理対象の宅配注文が抽出される順番になった場合、前記タスクキューから前記処理対象の宅配注文を抽出することができる。
【００７８】
一方、前記制御モジュール１９５は、前記抽出モジュール１６５によって、前記タスクキューから前記処理対象の宅配注文の処理作業が抽出された場合、前記音声出力モジュール１３０が、前記処理対象の宅配注文に相当する業者に電話の呼び出し又は電話を接続し、接続された電話の呼び出し又は電話を介して前記音声宅配注文を出力するように制御することができる。
【００７９】
一方、宅配注文を要求した注文者が注文をキャンセルしたい場合がある。このため、前記キャンセル要求受信モジュール１７０は、処理対象の宅配注文を送信した注文者端末２００から前記処理対象の宅配注文のキャンセル要求を受信することができ、前記キャンセルモジュール１８０は、前記処理対象の宅配注文のキャンセル要求に応答して、前記処理対象の宅配注文のキャンセル処理を実行することができる。
【００８０】
前記処理対象の宅配注文に相当する業者３００に電話の呼び出し又は電話が接続される前なのか後なのかに応じて、キャンセル操作が異なる場合がある。
【００８１】
もし前記処理対象の宅配注文に相当する業者３００に電話の呼び出し又は電話が接続される以前である場合、前記キャンセルモジュール１８０は、前記タスクキューから前記処理対象の宅配注文を削除することで、電話の呼び出し又は電話を介して前記処理対象の宅配注文の配達が発生しないようにすることができる。
【００８２】
もし前記処理対象の宅配注文に相当する業者に接続されてある電話の呼び出し又は電話を介して前記音声宅配注文が出力されている場合には、前記キャンセルモジュール１８０は、前記処理対象の宅配注文のキャンセルメッセージ送信作業を前記タスクキューに追加することができる。前記処理対象の宅配注文のキャンセルメッセージ送信作業は、迅速に処理される必要があるので、特に前記キャンセルモジュール１８０は、前記処理対象の宅配注文のキャンセルメッセージ送信作業を前記タスクキューに最優先順位として追加することで、既存に追加されてある他のタスクよりも前記処理対象の宅配注文のキャンセルメッセージ送信作業が先に処理されるようにすることができる。
【００８３】
一方、前記抽出モジュール１６５によって前記処理対象の宅配注文のキャンセルメッセージ送信作業が抽出された場合には、前記制御モジュール１９５は、前記処理対象の宅配注文のキャンセル要求に相当する前記処理対象の宅配注文のキャンセル指示メッセージを前記業者３００の端末３２０に送信することにより、前記業者３００の従業員または管理者が前記処理対象の宅配注文がキャンセルされたことを認知することができる。一方、前記制御モジュール１９５は、前記処理対象の宅配注文のキャンセル指示メッセージを前記業者３００の端末３２０に転送するために、前記テキストメッセージ送信モジュール１３５が、前記処理対象の宅配注文のキャンセルリクエストに相当する前記処理対象の宅配注文のキャンセル指示メッセージを前記業者３００の端末３２０に転送するように制御することができる。
【００８４】
一方、前記キャンセルモジュール１８０は、所定のキャンセル可能期間が経過していない場合に限り、前記処理対象の宅配注文のキャンセル処理を実行することができる。
【００８５】
本発明に係る一実施例では、前記キャンセル可能期間は、前記業者３００から前記処理対象の宅配注文の注文応答を受信するまでの期間であることがある。前記業者が前記処理対象の宅配注文の注文応答をした場合には、既に前記処理対象の宅配を処理するための準備を開始した可能性があるからである。
【００８６】
一方、電話の呼び出し又は電話を介して宅配注文音声を出力する途中で電話の呼び出し又は電話の接続が切断されたり、業者３００側から電話の呼び出し又は電話を受けないなどの例外状況があることがある。以下では、本発明の一実施形態に係る宅配注文中継システム１００が、これらの例外を処理する方法について図５及び図６を参照して説明することにする。
【００８７】
図５は、音声宅配注文を出力する途中で、前記電話の呼び出し又は電話が途切れる場合に、前記宅配注文中継システム１００が動作する方法を示す図である。
【００８８】
注文者端末２００から処理対象の宅配注文Ｄが送信されると（Ｓ２１０）、前記ＴＴＳモジュール１２０は、ＴＴＳを介して処理対象の宅配注文Ｄに相当する音声宅配注文Ｓを生成することができ（Ｓ２２０）、前記音声出力モジュール１３０は、前記業者の電話の呼び出し又は電話機３１０に電話の呼び出し又は電話を接続して（Ｓ２３０）、音声宅配注文Ｓを出力することができる（Ｓ２４０）。
【００８９】
一方、前記音声出力モジュール１３０は、電話の呼び出し又は電話を介して、前記音声宅配注文を出力する途中で、前記電話の呼び出し又は電話が途切れる場合が発生するかどうかを判断することができる（Ｓ２５０）。もし電話の呼び出し又は電話を介して、前記音声宅配注文を出力する途中で、前記電話の呼び出し又は電話が途切れる場合が発生した場合、前記返信番号送信モジュール１９０は、前記業者の端末３２０に返信番号を送信することができる（Ｓ２６０）。送信された返信番号を確認し、前記業者３００の従業員または管理者が前記返信番号に電話の呼び出し又は電話をかけて、前記宅配注文中継システムに電話の呼び出し又は電話を接続した場合（Ｓ２７０）、前記音声出力モジュール１３０は、接続された電話の呼び出し又は電話を介して前記音声宅配注文を再度出力することで、注文中継プロセスが再開されるようにすることができる（Ｓ２４０）。
【００９０】
図６は、業者３００側から電話の呼び出し又は電話を受けない場合に、前記宅配注文中継システム１００が動作する方法を示す図である。
【００９１】
図６を参照すると、注文者端末２００から処理対象の宅配注文Ｄが送信されると（Ｓ３１０）、前記ＴＴＳモジュール１２０は、ＴＴＳを介して処理対象の宅配注文Ｄに相当する音声宅配注文Ｓを生成することができ（Ｓ３２０）、前記音声出力モジュール１３０は、前記業者３００の電話の呼び出し又は電話機３１０に電話の呼び出し又は電話を接続することができる（Ｓ３３０）。
【００９２】
もし前記業者３００の電話の呼び出し又は電話機３１０と電話の呼び出し又は電話が接続されていない場合（Ｓ３４０）、前記音声出力モジュール１３０は、一定の待機期間（例えば、１分）が経過した後、前記業者に再度電話の呼び出し又は電話の接続を試みることができ（Ｓ３６０）、前記業者３００が電話の呼び出し又は電話を受けるまで毎待機期間ごとに電話の呼び出し又は電話の接続を試みることができる。
【００９３】
もし前記業者に最初の電話の呼び出し又は電話を接続しようとした後に所定の限界期間（例えば、１０分）内に前記業者に電話の呼び出し又は電話が接続されていない場合（Ｓ３５０）、前記キャンセルモジュール１８０は、前記処理対象の宅配注文を取り消すことができる（Ｓ３７０）。
【００９４】
一方、実装例に応じて、前記宅配注文中継システム１００は、プロセッサと、前記プロセッサによって実行されるプログラムを格納するメモリを含むことができる。前記プロセッサは、シングルコアＣＰＵまたはマルチコアＣＰＵを含むことができる。メモリは、高速ランダムアクセスメモリを含むことができ、一つまたは複数の磁気ディスク記憶デバイス、フラッシュメモリデバイス、または他の不揮発性ソリッドステートメモリデバイスなどの不揮発性メモリを含むこともできる。プロセッサ及びその他の構成要素によるメモリへのアクセスは、メモリコントローラによって制御されることができる。ここで、前記プログラムは、プロセッサによって実行される場合には、本実施形態に係る宅配注文中継システム１００によって、上述した宅配注文中継システムを提供する方法を実行するようにすることができる。
【００９５】
一方、本発明の実施形態に係る宅配注文中継システムを提供するには、コンピュータが読み取り可能なプログラム命令の形で実装されてコンピュータで読み取り可能な記録媒体に保存することができる。コンピュータが読み取り可能な記録媒体は、コンピュータシステムによって読み取ることができるデータが格納されているすべての種類の記録デバイスを含む。
【００９６】
記録媒体に記録されるプログラム命令は、本発明のために特別に設計されて構成されたもの、またはソフトウェア分野の当業者に公知されて使用可能なものであることもできる。
【００９７】
コンピュータで読み取り可能な記録媒体の例には、ハードディスク、フロッピーディスク、及び磁気テープのような磁気媒体（ｍａｇｎｅｔｉｃ  ｍｅｄｉａ）、ＣＤ−ＲＯＭ、ＤＶＤなどの光記録媒体（ｏｐｔｉｃａｌ  ｍｅｄｉａ）、フロップティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）とロム（ＲＯＭ）、ラム（ＲＡＭ）、フラッシュメモリなどのようなプログラム命令を保存して実行するように特別に構成されたハードウェアデバイスとが含まれる。また、上述した媒体は、プログラム命令、データ構造などを指定する信号を伝送する搬送波を含む光または金属線、導波管などの伝送媒体であることもできる。また、コンピュータが読み取り可能な記録媒体は、ネットワークに接続されたコンピュータシステムに分散されて、分散方式でコンピュータが読み取り可能なコードが保存され、実行されることができる。
【００９８】
プログラム命令の例には、コンパイラによって作られるような機械語コードだけでなく、インタプリタなどを介して電子的に情報を処理するデバイス、例えば、コンピュータによって実行されることができる高級言語コードを含む。
【００９９】
上述したハードウェアデバイスは、本発明の動作を実行するための一つ以上のソフトウェアモジュールとして動作するように構成することができ、その逆も同様である。
【０１００】
前述した本発明の説明は、例示のためのものであり、本発明が属する技術分野の通常の知識を有する者は、本発明の技術的思想や必須の特徴を変更せず、他の具体的な形で容易に変形が可能であることを理解するべきである。
【０１０１】
したがって、以上で記述した実施例は、すべての面で例示的なものであり限定的ではないと理解しなければならない。例えば、単一型で説明されている各構成要素は、分散されて実施されることがあり、同様に分散されたものと説明されている構成要素も結合された形態で実施することができる。
【０１０２】
本発明の範囲は、前記の詳細な説明より後述する特許請求の範囲によって表示され、特許請求の範囲の意味及び範囲そしてその均等概念から導き出されるすべての変更または変形された形態が本発明の範囲に含まれるものと解釈されるべきである。
【産業上の利用可能性】
【０１０３】
本発明は、ＴＴＳを利用した宅配注文中継システム及びその方法に使用することができる。
【図１】
0006445713.tif 000002
【図２】
0006445713.tif 000003
【図３】
0006445713.tif 000004
【図４】
0006445713.tif 000005
【図５】
0006445713.tif 000006
【図６】
0006445713.tif 000007